【手続補正書】
【提出日】平成23年3月3日(2011.3.3)
【手続補正１】
【補正対象書類名】特許請求の範囲
【補正対象項目名】全文
【補正方法】変更
【補正の内容】
【特許請求の範囲】
【請求項１】
予め定めた間隙を設けて対向配置された第１の基板および第２の基板と、
前記第１の基板の前記第２の基板との対向面にマトリックス状に配列させて設けられた複数の画素電極と、
前記第１の基板の前記対向面に設けられ、前記複数の画素電極に接続された複数の薄膜トランジスタと、
前記第１の基板の前記対向面に設けられ、前記複数の薄膜トランジスタにゲート信号及びデータ信号を供給する複数の走査線及び信号線と、
前記複数の画素電極との間に絶縁膜を介在させた状態で前記複数の画素電極と前記第１の基板との間に設けられ、前記複数の画素電極の周縁部に重なるように形成された補助電極と、
前記第２の基板の前記第１の基板との対向面に、前記複数の画素電極と対向するように設けられた対向電極と、
前記各画素電極に重なる各重畳領域を第１の領域および第２の領域に分ける境界線に沿うように、前記対向電極の前記複数の画素電極との対向面に設けられた複数の凸条部材と、
前記第１の基板の前記対向面に、前記複数の画素電極を覆うように設けられ、前記凸条部材の長さ方向に対して交差する方向にラビング処理された第１の配向膜と、
前記第２の基板の前記対向面に、前記対向電極及び前記複数の凸条部材を覆うように設けられ、前記第１の配向膜のラビング方向に対して予め定めた向きで、且つ前記凸条部材の長さ方向に対して交差する方向にラビング処理された第２の配向膜と、
前記一対の基板間の間隙に封入された正の誘電異方性を有する液晶層と、
を備えることを特徴とする液晶表示素子。
【請求項２】
予め定めた間隙を設けて対向配置されたの基板および第２の基板と、
前記第１の基板の前記第２の基板との対向面にマトリックス状に配列させて設けられた複数の画素電極と、
前記第１の基板の前記対向面に設けられ、前記複数の画素電極に接続された複数の薄膜トランジスタと、
前記第１の基板の前記対向面に設けられ、前記複数の薄膜トランジスタにゲート信号及びデータ信号を供給する複数の走査線及び信号線と、
前記複数の画素電極との間に絶縁膜を介在させた状態で前記複数の画素電極と前記第１の基板との間に設けられ、前記複数の画素電極の周縁部に重なるように形成された補助電極と、
前記第２の基板の前記第１の基板との対向面に、前記複数の画素電極と対向するように設けられた対向電極と、
前記各画素電極に重なる各重畳領域を第１の領域および第２の領域に分ける境界線に沿うように、前記一対の基板間に設けられ、前記各重畳領域において前記一対の基板間の間隙を前記第１の領域に重なる第１の間隙と前記第２の領域に重なる第２の間隙とに仕切る複数の隔壁部材と、
前記第１の基板の前記対向面に、前記複数の画素電極を覆うように設けられ、前記隔壁部材の長さ方向に対して交差する方向にラビング処理された第１の配向膜と、
前記第２の基板の前記対向面に、前記対向電極及び前記複数の隔壁部材を覆うように設けられ、前記第１の配向膜のラビング方向に対して予め定めた向きで、且つ前記隔壁部材の長さ方向に対して交差する方向にラビング処理された第２の配向膜と、
前記一対の基板間の間隙に封入された正の誘電異方性を有する液晶層と、
を備えることを特徴とする液晶表示素子。
【請求項３】
前記第１の配向膜と前記第１の配向膜とが当接していることを特徴とする請求項２に記載の液晶表示素子。
【請求項４】
前記凸条部材または前記隔壁部材は、前記各重畳領域を二等分するように対応させて設けられていることを特徴とする請求項１乃至３の何れか一項に記載の液晶表示素子。
【請求項５】
前記凸条部材または前記隔壁部材は、前記第１の領域に対応する面と前記第２の領域に対応する面とが、前記隔壁部材の幅方向の中心から該幅方向の両端にかけて前記第２の基板から遠ざかるように傾斜した形状に形成されていることを特徴とする請求項１または２に記載の液晶表示素子。
【請求項６】
前記第２の配向膜は、前記第１の配向膜のラビング方向に対して直交する方向にラビング処理されていることを特徴とする請求項５に記載の液晶表示素子。
【請求項７】
前記液晶層の液晶分子は、前記第１の基板と前記第２の基板との間において、９０°のツイスト角でツイスト配向していることを特徴とする請求項６に記載の液晶表示素子。
【請求項８】
第１の配向膜は、前記凸条部材または前記隔壁部材の長さ方向に対して４５°〜８５°の範囲の角度で交差する方向にラビング処理され、
第２の配向膜は、前記凸条部材または前記隔壁部材の長さ方向に対して５°〜４５°の範囲の角度で交差する方向にラビング処理されていることを特徴とする請求項６または７に記載の液晶表示素子。
【請求項９】
前記第２の配向膜は、前記第１の配向膜のラビング方向と実質的に平行で且つ逆向きの方向にラビング処理されていることを特徴とする請求項５に記載の液晶表示素子。
【請求項１０】
前記液晶層の液晶分子は、前記第１の基板と前記第２の基板との間において、前記第１及び第２の配向膜のラビング方向に分子長軸を揃えてホモジニアス配向していることを特徴とする請求項８に記載の液晶表示素子。
【請求項１１】
前記第１の配向膜と前記第２の配向膜は、前記凸条部材または前記隔壁部材の長さ方向に対して６０°〜９０°の範囲の角度で交差する方向にラビング処理されていることを特徴とする請求項９又は１０に記載の液晶表示素子。
【手続補正２】
【補正対象書類名】明細書
【補正対象項目名】０００６
【補正方法】変更
【補正の内容】
【０００６】
この発明の液晶表示素子は、
予め定めた間隙を設けて対向配置された第１の基板および第２の基板と、
前記第１の基板の前記第２の基板との対向面にマトリックス状に配列させて設けられた複数の画素電極と、
前記第１の基板の前記対向面に設けられ、前記複数の画素電極に接続された複数の薄膜トランジスタと、
前記第１の基板の前記対向面に設けられ、前記複数の薄膜トランジスタにゲート信号及びデータ信号を供給する複数の走査線及び信号線と、
前記複数の画素電極との間に絶縁膜を介在させた状態で前記複数の画素電極と前記第１の基板との間に設けられ、前記複数の画素電極の周縁部に重なるように形成された補助電極と、
前記第２の基板の前記第１の基板との対向面に、前記複数の画素電極と対向するように設けられた対向電極と、
前記各画素電極に重なる各重畳領域を第１の領域および第２の領域に分ける境界線に沿うように、前記対向電極の前記複数の画素電極との対向面に設けられた複数の凸条部材と、
前記第１の基板の前記対向面に、前記複数の画素電極を覆うように設けられ、前記凸条部材の長さ方向に対して交差する方向にラビング処理された第１の配向膜と、
前記第２の基板の前記対向面に、前記対向電極及び前記複数の凸条部材を覆うように設けられ、前記第１の配向膜のラビング方向に対して予め定めた向きで、且つ前記凸条部材の長さ方向に対して交差する方向にラビング処理された第２の配向膜と、
前記一対の基板間の間隙に封入された正の誘電異方性を有する液晶層と、
を備えることを特徴とする。
【手続補正３】
【補正対象書類名】明細書
【補正対象項目名】０００７
【補正方法】変更
【補正の内容】
【０００７】
この発明の別の液晶表示素子は、
予め定めた間隙を設けて対向配置されたの基板および第２の基板と、
前記第１の基板の前記第２の基板との対向面にマトリックス状に配列させて設けられた複数の画素電極と、
前記第１の基板の前記対向面に設けられ、前記複数の画素電極に接続された複数の薄膜トランジスタと、
前記第１の基板の前記対向面に設けられ、前記複数の薄膜トランジスタにゲート信号及びデータ信号を供給する複数の走査線及び信号線と、
前記複数の画素電極との間に絶縁膜を介在させた状態で前記複数の画素電極と前記第１の基板との間に設けられ、前記複数の画素電極の周縁部に重なるように形成された補助電極と、
前記第２の基板の前記第１の基板との対向面に、前記複数の画素電極と対向するように設けられた対向電極と、
前記各画素電極に重なる各重畳領域を第１の領域および第２の領域に分ける境界線に沿うように、前記一対の基板間に設けられ、前記各重畳領域において前記一対の基板間の間隙を前記第１の領域に重なる第１の間隙と前記第２の領域に重なる第２の間隙とに仕切る複数の隔壁部材と、
前記第１の基板の前記対向面に、前記複数の画素電極を覆うように設けられ、前記隔壁部材の長さ方向に対して交差する方向にラビング処理された第１の配向膜と、
前記第２の基板の前記対向面に、前記対向電極及び前記複数の隔壁部材を覆うように設けられ、前記第１の配向膜のラビング方向に対して予め定めた向きで、且つ前記隔壁部材の長さ方向に対して交差する方向にラビング処理された第２の配向膜と、
前記一対の基板間の間隙に封入された正の誘電異方性を有する液晶層と、
を備えることを特徴とする。
【手続補正４】
【補正対象書類名】明細書
【補正対象項目名】０００８
【補正方法】変更
【補正の内容】
【０００８】
好ましくは、前記第１の配向膜と前記第１の配向膜とが当接している。
好ましくは、前記凸条部材または前記隔壁部材は、前記各重畳領域を二等分するように対応させて設けられている。
好ましくは、前記凸条部材または前記隔壁部材は、前記第１の領域に対応する面と前記第２の領域に対応する面とが、前記隔壁部材の幅方向の中心から該幅方向の両端にかけて前記第２の基板から遠ざかるように傾斜した形状に形成されている。
好ましくは、前記第２の配向膜は、前記第１の配向膜のラビング方向に対して直交する方向にラビング処理されている。
好ましくは、前記液晶層の液晶分子は、前記第１の基板と前記第２の基板との間において、９０°のツイスト角でツイスト配向している。
好ましくは、第１の配向膜は、前記凸条部材または前記隔壁部材の長さ方向に対して４５°〜８５°の範囲の角度で交差する方向にラビング処理され、
第２の配向膜は、前記凸条部材または前記隔壁部材の長さ方向に対して５°〜４５°の範囲の角度で交差する方向にラビング処理されている。
好ましくは、前記第２の配向膜は、前記第１の配向膜のラビング方向と実質的に平行で且つ逆向きの方向にラビング処理されている。
好ましくは、前記液晶層の液晶分子は、前記第１の基板と前記第２の基板との間において、前記第１及び第２の配向膜のラビング方向に分子長軸を揃えてホモジニアス配向している。
好ましくは、前記第１の配向膜と前記第２の配向膜は、前記凸条部材または前記隔壁部材の長さ方向に対して６０°〜９０°の範囲の角度で交差する方向にラビング処理されている。